(57)【要約】【課題】眼鏡の鼻や耳や顔への負担を軽減させて、デザイン性を良くするために、眼鏡の保持部を外観から目立ち難い側頭部に設けている。シンプルな通気性の良い形状である。保持部が髪の間に分け入って地肌に接して確実に眼鏡を固定する。そして、着脱が容易であって装着感が良く、安定して長期間装着できる眼鏡を提供することを課題とする。【課題を解決するための手段】眼鏡のフレームから下方に設けられた、もみあげを押える下前押え部に、髪の間に分け入って地肌に接する複数の突起部を備え、前記突起部の表面には、該突起部間に分け入った髪を保持するラバー材が設けられている構成である。【特許請求の範囲】
【請求項１】
眼鏡のテンプルから下方に設けられた、もみあげを押える下前押え部に、髪の間に分け入って地肌に接する複数の突起部を設けた眼鏡。
【請求項２】
前記下前押え部が、眼鏡のフレームに対し、連結部を介して、着脱自在である請求項１に記載の眼鏡。
【請求項３】
眼鏡の少なくとも一本のモダンに、髪の間に分け入って地肌に接する複数の突起部６を設けた請求項１又は２に記載の眼鏡。
【請求項４】
前記下前押え部が、もみあげに沿って棒状に又は、櫛状に又は、熊手状に広がる部材、又は、もみあげを輪状に押える部材である請求項１又は２に記載の眼鏡。
【請求項５】
前記下前押え部は、前記フレームに対して姿勢変更に又は、もみあげの凹部に嵌るように変形する可塑性を有する部材で形成されている請求項１又は２又は４に記載の眼鏡。
【請求項６】
前記下前押え部及び又は、前記モダンは、前記フレームに対して、上下方向に角度変更可能に結合されている請求項１又は２に記載の眼鏡。
【請求項７】
前記下前押え部は、前記フレームに対して、水平方向に回転可能に又は、変更可能に形成されている請求項１又は２又は５又は６に記載の眼鏡。
【請求項８】
前記連結部又は前記モダンには、さらに、左右の前記連結部又は前記モダンを架橋して、頭から顎の間を跨いで連結されて、前記眼鏡の回転モーメントを相殺する側頭挟持部が着脱自在に設けられている請求項２又は３に記載の眼鏡。
【請求項９】
前記連結部及び前記突起部及び前記下前押え部及び前記側頭挟持部の材質がエラストマーからなる請求項１から８の何れかに記載の眼鏡。
【請求項１０】
前記眼鏡に、ウエアラブル機器、ヒアラブル端末、花粉予防メガネ、耳つぼ押え具、マスク係止具、骨伝導補聴器の何れかが取り付けられている請求項１から９の何れかに記載の眼鏡。
【発明の詳細な説明】
【技術分野】
【０００１】
本発明は、シンプルな、頭髪に入り込み地肌に接して保持され、装着感が良く、着脱が容易な眼鏡に関する。
【背景技術】
【０００２】
従来、眼鏡はモダンを耳の耳介側頭溝に掛けて、鼻パッドを使用して装着しているので、レンズ部に取り付けた鼻パッドは、鼻に負担をかけている。近年、この鼻パッドを取り外した眼鏡が考案されている。この眼鏡を保持するために、保持部をこめかみや頬や頬骨弓部上に当接させて挟持しているが、これらは保持部だけで眼鏡を保持することはできない。また、こめかみや頬に当接した部分は変色して跡が残る。これらの方法で眼鏡を保持することを継続させるための構造には、さらなる改良を必要とする。
【０００３】
この問題に対しては、特許文献１は、頬骨の凹み部分を押えるべく、眼鏡フレームのテンプル２の内側を突起させる構造であり、左右頬骨の後上の凹み部分にテンプル２の突起部分３ａにソフトなラバー部材を使用して、皮膚が滑りにくくしている。しかし、顔の皺や弛みを伸ばすためであり、鼻パッドを取り外すことはできず、鼻への負担はなくせない。
【０００４】
特許文献２は、左右のテンプルに頭側面の頬骨弓ないしその周辺一に接触係止させる舌状接触体を装着した構成である。しかし、頬骨の凹み部分は頭髪が密集しており、髪の毛は細くキューティクルにより滑りやすくクッションの役割をしている。そして、舌状接触体７は平面であり、人が普通に動作した場合や汗をかいた場合には、移動して作用効果は期待するほどなく眼鏡を保持できない。
【先行技術文献】
【特許文献】
【０００５】
【特許文献１】特開２０１３−２５７５２５号公報
【特許文献２】実願昭５６−１６１６１５号
【発明の概要】
【発明が解決しようとする課題】
【０００６】
眼鏡は、レンズや機器の重量が鼻や顔の柔らかい皮膚面を押圧し、鼻パッドや眼鏡の保持部が当接した部分は変色して跡が残る。また、眼鏡の保持部が外観から目立つ顔面や頭髪上にあり、そうした製品を長期間装着することが問題であることは変わらない。本発明は、こうした問題を解決しようとするもので、眼鏡の鼻や耳や顔への負担を軽減させ、デザイン性を良くするために、眼鏡の保持部を外観から目立ち難い側頭部に設けている。シンプルな通気性の良い形状である。保持部が髪の間に分け入って地肌に接して確実に眼鏡を固定する。そして、着脱が容易であって装着感が良く、安定して長期間装着できる眼鏡を提供することを課題とする。
【課題を解決するための手段】
【０００７】
第１発明の眼鏡は、眼鏡のテンプルから下方に設けられた、もみあげを押える下前押え部に、髪の間に分け入って地肌に接する複数の突起部を設けたことを特徴とする。
【０００８】
第２発明の眼鏡は、第１発明において、前記下前押え部が、眼鏡のフレームに対し、連結部を介して、着脱自在であることを特徴とする。
【０００９】
第３発明の眼鏡は、第１又は２発明において、眼鏡の少なくとも一本のモダンに、髪の間に分け入って地肌に接する複数の突起部６を設けたことを特徴とする。
【００１０】
第４発明の眼鏡は、第１又は２発明において、前記下前押え部が、もみあげに沿って棒状に又は、櫛状に又は、熊手状に広がる部材、又は、もみあげを輪状に押える部材であることを特徴とする。
【００１１】
第５発明の眼鏡は、第１又は２又は４発明において、前記下前押え部は、前記フレームに対して姿勢変更に又は、もみあげの凹部に嵌るように変形する可塑性を有する部材で形成されていることを特徴とする。
【００１２】
第６発明の眼鏡は、第１又は２発明において、前記下前押え部及び又は、前記モダンは、前記フレームに対して、上下方向に角度変更可能に結合されていることを特徴とする。
【００１３】
第７発明の眼鏡は、第１又は２又は５又は６発明において、前記下前押え部は、前記フレームに対して、水平方向に回転可能に又は、変更可能に形成されていることを特徴とする。
【００１４】
第８発明の眼鏡は、第２又は３発明において、前記連結部又は前記モダンには、さらに、左右の前記連結部又は前記モダンを架橋して、頭から顎の間を跨いで連結されて、前記眼鏡の回転モーメントを相殺する側頭挟持部が着脱自在に設けられていることを特徴とする。
【００１５】
第９発明の眼鏡は、第１から第８発明の何れかにおいて、前記連結部及び前記突起部及び前記下前押え部及び前記側頭挟持部の材質がエラストマーからなることを特徴とする。
【００１６】
第１０発明の眼鏡は、第１から第９発明の何れかにおいて、前記眼鏡に、ウエアラブル機器、ヒアラブル端末、花粉予防メガネ、耳つぼ押え具、マスク係止具、骨伝導補聴器の何れかが取り付けられていることを特徴とする。
【発明の効果】
【００１７】
第１発明の眼鏡によれば、眼鏡のテンプルから下方に設けられた、もみあげを押える下前押え部に、髪の間に分け入って地肌に接する複数の突起部を設けているので、テンプルとモダンと下前押え部が一体化したシンプルな構造であり、製造は極めて容易である。そして、複数の突起部を設けた下前押え部を支点として、テンプルの後端からモダンが後方に入り込んで側頭部の地肌に接しているので、回転モーメントを阻止できる。装着感は大変良く、眼鏡を確実にフィットさせることができる。したがって、メガネに鼻パッドが無くても有していても良く、それを眼前に保持することができる。
【００１８】
第２発明によれば、前記下前押え部が、眼鏡のフレームに対し、連結部を介して、着脱自在であるので、様々な形状の眼鏡のテンプルに取り付けることができる。また、前記下前押え部を前後方向に移動させることにより、レンズと目との間を示す角膜頂点間距離１２ｍｍの調整が可能である。
【００１９】
第３発明によれば、眼鏡の少なくとも一本のモダンに、髪の間に分け入って地肌に接する複数の突起部６を設けたので、回転モーメントを阻止できる。
【００２０】
第４発明によれば、前記下前押え部が、もみあげに沿って棒状に又は、櫛状に又は、熊手状に広がる部材、又は、もみあげを輪状に押える部材であるので、もみあげの凹部に嵌り込み、地肌に接する長さにした複数の突起部に隙間を設けることにより、挟持力が分散されて当接する痛さは緩和され装着感の良い眼鏡となる。
【００２１】
第５発明によれば、前記下前押え部は、前記フレームに対して姿勢変更に又は、もみあげの凹部に嵌るように変形する可塑性を有する部材で形成されているので、もみあげの凹部に確実に嵌るように調整できる。
【００２２】
第６発明によれば、前記下前押え部及び又は、前記モダンは、前記フレームに対して、上下方向に角度変更可能に結合されているので、レンズの高さ調整が可能である。また、レンズを上方に退避させることができる
【００２３】
第７発明によれば、前記下前押え部は、前記フレームに対して、水平方向に回転可能に又は、変更可能に形成されているので、前記下前押え部を装着感の良い適宜の挟持力と位置に調整できる。
【００２４】
第８発明によれば、前記連結部又は前記モダンには、さらに、左右の前記連結部又は前記モダンを架橋して、頭から顎の間を跨いで連結されて、前記眼鏡の回転モーメントを相殺する側頭挟持部が着脱自在に設けられているので、側頭挟持部の取り付け角度を変更して、適宜の位置で固定することにより、重い眼鏡や機器を取り付けた眼鏡を保持できる。
【００２５】
第９発明によれば、前記連結部及び前記突起部及び前記下前押え部及び前記側頭挟持部の材質がエラストマーからなることにより、軽量で柔軟性を有しているので、様々な装着者の側頭部の形状に対応して、フィットさせることができる。
【００２６】
第１０発明によれば、前記眼鏡に、ウエアラブル機器、ヒアラブル端末、花粉予防メガネ、耳つぼ押え具、マスク係止具、骨伝導補聴器の何れかが取り付けられているので、眼鏡をかけた時にそれらの機器を使用することができる。
【図面の簡単な説明】
【００２７】
【図１】第１発明の実施例を示す斜視図、側面図である。
【図２】第１発明の実施例を示す側面図、斜視図、上面図である。
【図３】第２発明の実施例を示す側面図である。
【図４】第３発明の実施例を示す斜視図、側面図である。
【図５】第４発明の実施例を示す斜視図、側面図である。
【図６】第５発明の実施例を示す側面図、正面図である。
【図７】第６発明の実施例を示す側面図である。
【図８】第７発明の実施例を示す側面図、底面図、上面図である。
【図９】第８発明の実施例を示す側面図、正面図である。
【図１０】第１０発明の実施例を示す側面図である。
【発明を実施するための形態】
【００２８】
以下、本発明に係る眼鏡の実施形態の例を、様々な眼鏡を例にして図面を参照しながら説明する。
【実施例１】
【００２９】
図１（ａ）は第１発明の眼鏡本体を示す一実施形態の斜視図であり、眼鏡のテンプル２から下方に設けられた、もみあげ１を押える下前押え部３に、髪の間に分け入って地肌に接する複数の突起部６を設けたことを示す一実施形態の斜視図である。図１（ｂ）は第１発明の眼鏡本体を人がかけた状態を示す一実施形態の側面図である。下前押え部３に取り付けた突起部６が、被装着者のもみあげ１の中にある頬骨弓部１５上の凹部１４に入り込んで地肌に接している。さらに、モダン４が頭髪に入り込んで、側頭部を挟持している。これらの図において、第１発明の眼鏡は、眼鏡のテンプル２から下方に設けられた、もみあげ１を押える下前押え部３に、髪の間に分け入って地肌に接する複数の突起部６を設けたことを特徴としている。
【００３０】
眼鏡をかけた時、テンプル２から下方に設けた下前押え部３は、耳の前方の位置になる。モダン４は後頭部を挟持して従来のモダン４と同様の作用効果がある。下前押え部３の複数の突起部６が髪の間に分け入って、地肌に接して眼鏡を保持する作用効果があるので、確実に眼鏡を保持できる。側頭部には、髪の毛が生えているので、髪の毛の多い人は下前押え部３を隠すことができる。特に女性の場合、外観から眼鏡を保持している方法が見えないので、眼鏡だけがスッキリ見える。
【００３１】
図２（ａ）は第１発明の下前押え部３の形状が円形であることを示す一実施例の側面図である。図２（ｂ）は第１発明の下前押え部３の形状が方形であることを示す一実施例の側面図である。下前押え部３の形状は円形、方形など形状は限定しない。また、モダン４の形状も眼鏡のデザインに合わせ限定しない。
【００３２】
図２（ｃ）は第１発明の突起部６の形状を、高さ６ｍｍ、直径３ｍｍの円柱にして、３ｍｍの隙間を開けて円形状に設けたことを示す一実施例の斜視図である。図２（ｄ）は楕円柱の突起部６を取り付けたことを示す一実施例の斜視図である。図２（ｅ）は三角柱の突起部６を取り付けたことを示す一実施例の斜視図である。図２（ｆ）は１ｍｍのシャフト２１の先端に突起部６を取り付けたことを示す一実施例の斜視図である。１ｍｍのシャフト２１の材質は、鉄、ステンレス、チタンなどの弾力性を有する材質が良い。図２（ｇ）は第１発明の下前押え部３に設けた突起部６の形状を、先端を丸くした円錐体１９にしたことを示す一実施例の斜視図である。先端が丸いので痛さは感じない。
【００３３】
図２（ｈ）は突起部６の先端にラバー材２０を設けた下前押え部３を示す一実施例の上面図である。突起部６の先端部に設ける滑らない部材、粘着性の部材として、シリコン、ウレタン、アクリルなどのラバー材２０を使用することで地肌への密着度が向上する。突起部６全体にラバー材２０を設けた場合は、頭髪に接して摩擦力が増加して、眼鏡は固定される。また、突起部６には隙間を設けているので、通気性が良く地肌に汗をかいても蒸れを予防できる。突起部６が地肌に接しても髪の毛が緩衝材となり、接触痕が残ることはない。
【００３４】
第１発明の眼鏡に取り付けた下前押え部３は、耳より外側に突出することなく、テンプル２と平行して取り付けたシンプルな形状である。眼鏡を着脱する時は、従来の眼鏡のかけ方と同様に、左右のテンプル２を持ち、少し外側に開けた状態で側頭部の地肌に沿わせながら、下前押え部３が頬骨弓部１５上の凹部１４に嵌る位置まで後方に押し込めば良い。髪の毛に絡むことはなく着脱は容易である。
【００３５】
本発明で言う眼鏡は、老眼鏡、度付きメガネ、ＴＶ・映画用３Ｄメガネ、伊達メガネ、サングラス、スポーツサングラス、保護メガネ、拡大鏡を付けたメガネ、ライトを付けたメガネ、剣道用メガネ、手術用メガネ等である。
【００３６】
以下の図では、第１発明の構成部分と同様な部分については、その説明を省略又は簡略化し、第１発明と異なる部分の実施形態について説明する。
【実施例２】
【００３７】
第２発明の眼鏡は、前記下前押え部３が、眼鏡のフレームに対し、連結部１２を介して、着脱自在であることを特徴としている。
【００３８】
図３（ａ）は下前押え部３の上部に、第２発明の連結部１２を取り付けたことを示す一実施形態の側面図であり、連結部１２の中心部に、テンプル２に嵌め込むための隙間を設け、締め付け用のネジ１８を取り付けている。図３（ｂ）は連結部１２の隙間をテンプル２に嵌め込み、ネジ１８を締め付けて、下前押え部３をテンプル２に固定したことを示す一実施形態の側面図である。連結部１２をテンプル２に連結する形態は限定しない。そして、連結部１２の形状を様々なテンプル２に連結、分離可能な形状にすることにより、下前押え部３をすべての眼鏡に取り付け可能になる。連結部１２の取り付け位置を前後方向に調整することにより、下前押え部３の突起部６をもみあげ１の中の凹部１４の適宜の位置に嵌め込むことができる。
【００３９】
図３（ｃ）は連結部１２に設けたネジ１８を、テンプル２に設けた軸穴にねじ込んだことを示す一実施形態の側面図である。図３（ｄ）は連結部１２にテンプル２の形状に合致した溝を設け、連結部１２をテンプル２に嵌め込んだことを示す一実施形態の側面図である。めた、別の方法として、連結部１２を直接テンプル２に接着する方法もある。
【実施例３】
【００４０】
第３発明の眼鏡は、眼鏡の少なくとも一本のモダン４に、髪の間に分け入って地肌に接する複数の突起部６を設けたことを特徴としている。
【００４１】
図４（ａ）は第３発明の楕円柱の突起部６を、プレート２２上に設けたことを示す一実施形態の斜視図であり、周縁を丸くした横２ｍｍ×縦４ｍｍ×高さ５ｍｍの楕円柱の突起部６を縦長にして３ｍｍの隙間を開けて、プレート２２上に並べたことを示す一実施例の斜視図である。図４（ｂ）は楕円柱の突起部６を設けたプレート２２を、モダン４に貼り付けたことを示す一実施例の側面図である。モダン４の形状に合致したプレート２２に、突起部６を設けることにより、様々な眼鏡に対応できる。
【００４２】
図４（ｃ）は第１発明の楕円柱の突起部６を下前押え部３に設け、後方下方に伸びたモダン４を示す一実施形態の側面図であり、図４（ｄ）は上下方向二股に分かれたプレート２２上に突起部６を設けたことを示す一実施例の側面図である。図４（ｅ）は突起部６を上下方向二股に分かれたプレート２２に設け、プレート２２の下方のプレート２２を一本のモダン４に、貼り付けたことを示す一実施例の側面図である。二本のプレート２２の突起部６が地肌に接することにより、安定して眼鏡が保持できる。図４（ｆ）は二本のモダン４に円柱の突起部６を取り付けたことを示す一実施例の側面図である。上下二段の突起部６により、保持力を増加させる作用効果がある。図４（ｇ）は第３発明の楕円柱の突起部６を、モダン４に上下３段にして設けたことを示す一実施例の側面図である。保持力を増加させる作用効果があり、安定して眼鏡が保持できる。
【実施例４】
【００４３】
第４発明の眼鏡は、前記下前押え部３が、もみあげ１に沿って棒状７に又は、櫛状８に又は、熊手状９に広がる部材、又は、もみあげ１を輪状１０に押える部材であることを特徴としている。
【００４４】
図５（ａ）は第４発明の下前押え部３が棒状７に形成され、突起部６がシャフト２１の先端に取り付けられたことを示す一実施例の斜視図であり、棒状７に設けた１ｍｍのシャフト２１を使用することで隙間の間隔が広くなり、髪の毛が隙間に入り込み眼鏡が保持される。図５（ｂ）は楕円柱に形成された突起部６が櫛状８に設けられたことを示す一実施例の斜視図であり、櫛状８に設けた突起部６を使用することで、地肌に接する突起部６の面が縦長となり、髪の毛の隙間に入り込み易く眼鏡が保持される。
【００４５】
図５（ｃ）は三角柱に形成された突起部６が櫛状８に設けられたことを示す一実施例の斜視図であり、三角柱の突起部６を使用することで、地肌に接する突起部６の面が縦長となり、三角柱の上部の間隔が狭くなるので、隙間に入った髪の毛により、下前押え部３はずり落ちずに保持される。図５（ｄ）は第４発明の熊手状９の下前押え部３に突起部６を設けたことを示す一実施例の側面図であり、熊手状９の隙間に髪の毛が入り易くしている。
【００４６】
図５（ｅ）は第４発明の下前押え部３が大中小三個の円形の輪状１０で形成され、輪状１０と同一幅の突起部６を取り付けたことを示す一実施例の側面図である。大中小の輪状１０の間と突起部６の間の隙間によって、通気性の良い下前押え部３となる。図５（ｆ）は方形の輪状１０に設けた下前押え部３１に長方柱の突起部６を取り付けたことを示す一実施例の斜視図である。被装着者のもみあげ１の凹部１４に嵌る横長の下前押え部３であって、装着感は良く眼鏡を確実に保持できる。
【実施例５】
【００４７】
第５発明の眼鏡は、前記下前押え部３は、前記フレームに対して姿勢変更に又は、もみあげ１の凹部７に嵌るように変形する可塑性を有する部材１１で形成されていることを特徴としている。
【００４８】
図６（ａ）は第５発明の下前押え部３に関節１６を設け、フレームに対して下前押え部３が姿勢変更することを示す一実施例の側面図である。図６（ｂ）は矢印が示すように、下前押え部３下方が内側に姿勢変更できることを示す一実施例の正面図である。下前押え部３の突起部６の先端が、確実に被装着者の凹部１４に嵌るように調整が可能である。図６（ｃ）は第５発明の下前押え部３に可塑性を有する部材１１を設け、フレームに対して下前押え部３が変形することを示す一実施例の側面図である。図６（ｄ）は矢印が示すように、下前押え部３が三次元的に内側に変形することを示す一実施例の正面図である。下前押え部３の突起部６の先端が、確実に被装着者の凹部１４に嵌るように調整が可能である。
【実施例６】
【００４９】
第６発明の眼鏡は、前記下前押え部３及び又は、前記モダン４は、前記フレームに対して、上下方向に角度変更可能に結合されていることを特徴としている。
【００５０】
図７（ａ）は第６発明の下前押え部３を角度変更可能にするために、連結部１２に関節１６を設け、上下方向に回動可能に取り付けたことを示す一実施例の側面図である。一定以上の力でテンプル２を動かして、微妙に上下に移動するレンズ部の位置を修正することが可能である。図７（ｂ）は第６発明のモダン４を角度変更可能にするために、テンプル２の後端部に関節１６を設け、上下方向に回動可能に取り付けたことを示す一実施例の側面図である。一定以上の力でテンプル２又はモダン４を動かして、微妙に上下に移動するレンズ部の高さを修正することが可能である。また、眼鏡を上方に回動させて前頭部上に退避させることもできる。
【００５１】
図７（ｃ）はテンプル２とモダン４と下前押え部３とを連結する位置に、角度変更可能にするために可塑性を有する部材１１を設けたことを示す一実施例の側面図である。適宜の上下方向の角度及びねじれの修正が可能である。
【実施例７】
【００５２】
第７発明の眼鏡は、前記下前押え部３は、前記フレームに対して、水平方向に回転可能に又は、変更可能に形成されていることを特徴としている。
【００５３】
図８（ａ）は第７発明の下前押え部３とテンプル２が連結する部分の二か所に関節１６を設け、水平方向に回転可能にしたことを示す一実施形態の側面図であり、図８（ｂ）は  図８（ａ）の底面図である。矢印が示すように、一定以上の力で下前押え部３を水平方向に動かして、側頭部の地肌に接する押し圧力を、適宜の強さに調整することが可能である。身体を激しく動かす時や仕事をしている時など、眼鏡の使用状況に応じて最適な押し圧に変更することで、長時間良好な装着感を維持することができる。
【００５４】
図８（ｃ）は第７発明の下前押え部３とテンプル２を連結する部分に可塑性を有する部材１１を設け、水平方向に変更可能にしたことを示す一実施形態の上面図である。可塑性を有する部材１１は下前押え部３を三次元的に動かくことができるので、図１（ｂ）が示すように、下前押え部３を被装着者の頬骨弓部１５上の凹部１４の位置に正確に嵌まるように位置調整が可能となる。
【実施例８】
【００５５】
第８発明の眼鏡は、前記連結部１２又は前記モダン４には、さらに、左右の前記連結部１２又は前記モダン４を架橋して、頭から顎１７の間を跨いで連結されて、前記眼鏡の回転モーメントを相殺する側頭挟持部１３が着脱自在に設けられていることを特徴としている。
【００５６】
図９（ａ）は第８発明の側頭挟持部１３−１〜５を連結部１２に設けたことを示す一実施形態の側面図である。側頭挟持部１３−１〜５を取り付けることにより、重い眼鏡の回転モーメントが相殺できる。側頭挟持部１３−１は顎１７に接して回転モーメントを相殺している。側頭挟持部１３−２は目の上の位置の顔面に接しないように連結している。これによって、レンズやディスプレイなどが取り付けられる。側頭挟持部１３−３は前頭部を跨いで設けているので、前頭部の髪の毛で隠すことができる。側頭挟持部１３−４は上頭部を跨いで連結しているので、挟持する力が左右に分割され、左右のバランスを良くして上頭部や側頭部にフィットする。側頭挟持部１３−５は後頭部を跨いで設けている。これらの側頭挟持部１３−１〜５は眼鏡以外の使用目的に応じた機器などを保持するための挟持力の補助ができる。
【００５７】
図９（ｂ）は第８発明の前頭部を跨いで設けている側頭挟持部１３−３の端部を、眼鏡のテンプル２の後端部に連結部１２を介して設けることにより、ブリッジのない眼鏡にできることを示す一実施形態の正面図であり、図９（ｃ）は図９（ｂ）の側面図である。側頭挟持部１３−３が前頭部を跨いで連結しているので、女性の場合は前方から側頭挟持部１３−３をかけると、髪の毛の上からヘアーバンドのように見える。男性の場合も髪の毛の中に隠れる。
【００５８】
図９（ｄ）は第８発明の後頭部を跨いで設けている側頭挟持部１３−５の端部を、眼鏡のテンプル２の後端部に連結部１２を介して設けることにより、ブリッジのない眼鏡にできることを示す一実施形態の側面図であり、図９（ｂ）の正面図である。側頭挟持部１３−５の端部を連結部１２に連結させ、後頭部を跨いで設けているので、前後、左右方向のバランスが良く眼鏡を保持できる。側頭挟持部１３−１〜５の材質は弾性体で形成され、長期間継続して使用できるように、適宜の強さや長さに調整することができる。連結部１２に設けた関節１６により側頭挟持部１３−３、１３−５の取り付け角度の調整が可能である。
【００５９】
図９（ｅ）は第８発明の後頭部を跨いで設けている側頭挟持部１３の端部を、眼鏡のモダン４の後端部に架橋したことを示す一実施形態の側面図である。細いテンプル２を使用した挟持力の弱い眼鏡の場合、側頭挟持部１３には紐２３を使用している。側頭挟持部１３の材質として、ゴム、細い金属など調整可能な材質が適している。
【実施例９】
【００６０】
第９発明の眼鏡は、前記連結部１２及び前記突起部６及び前記下前押え部３及び前記側頭挟持部１３の材質がエラストマーからなることを特徴としている。
【００６１】
第１発明の突起部６の材質がエラストマーであることにより、適宜の柔軟性で地肌に接するのでフィット感が良く固定できる。人肌のように柔軟な部材であるエラストマーゲル状ウレタンを用いても良い。また、肌の温度で変形する樹脂も適している。モダン４及び下前押え部３の材質がエラストマーであることにより、柔軟性に優れたモダン４及び下前押え部３は、被装着者の側頭部に合わせて、適宜の挟持力で接するので、フィット感が良い。モダン４及び下前押え部３に金属芯を挿入した場合、所定の形状を維持することができる。側頭挟持部１３の材質がエラストマーであることにより、柔軟性に優れた側頭挟持部１３は被装着者の頭から顎１７の間の適宜の位置を跨いで、適宜の挟持力で当接するので、様々な種類の眼鏡に対応が可能である。
【００６２】
本発明の突起部６及びモダン４及び下前押え部３及び側頭挟持部１３の材質は、シリコンゴム、合成ゴム、天然ゴム、ウレタンゴム、フッ素ゴムなどの熱硬化性エラストマーである。また、熱可塑性エラストマーとして、スチレン系、塩ビ系、オレフィン系、ウレタン系、アミド系などがある。熱可塑性樹脂としては、アクリル樹脂、ＡＢＳ樹脂、ポリカーボネート、ポリプロピレン、ポリ塩化ビニル、ポリスチレン、ポリ酢酸ビニル、ポリウレタン、テフロン、ＡＳ樹脂、ポリアミド、ポリアセタール、ポリエチレン、ポリエステル等である。
【実施例１０】
【００６３】
第１０発明の眼鏡は、前記眼鏡に、ウエアラブル機器３０、ヒアラブル端末３２、花粉予防メガネ３６、耳つぼ押え具３４、マスク係止具３７、骨伝導補聴器３８の何れかが取り付けられていることを特徴としている。
【００６４】
図１０（ａ）は眼鏡に第１０発明のウエアラブル機器３０を取り付けたことを示す一実施形態の側面図である。テンプル２にバッテリーや通信機器を取り付け、レンズ部にディスプレイ３１を設けて重さが加わった場合でも、もみあげ１を押える下前押え部３とモダン４により安定して保持し、ウエアラブル機器として使用可能である。図１０（ｂ）はテンプル２の後端に顎１７を跨いで連結した第８発明の側頭挟持部１３−１を設け、テンプル２の先端には第１０発明のメガネ型のウエアラブル機器３０を取り付けたことを示す一実施形態の側面図である。重いウエアラブル機器３０であっても、顎１７を跨いでいる側頭挟持部１３−１と下前押え部３とモダン４とにより、前面からウエアラブル機器３０をかけることができる。図１０（ｃ)はレンズ部に花粉予防メガネ３６を取り付けたことを示す一実施形態の側面図である。鼻に乗せることなくかけることができる。
【００６５】
図１０（ｄ）は眼鏡に第１０発明のヒアラブル端末３２を下前押え部３に取り付けたことを示す一実施形態の側面図である。下前押え部３内にバッテリーや通信機器を内蔵し、イヤホン３３を連結すれば、イヤホン３３は外れにくくなる。耳の横にある下前押え部３に、操作ボタンの取り付けができるので使いやすい。図１０（ｅ)は第１０発明の耳つぼ押え具３４を下前押え部３に取り付けたことを示す一実施形態の側面図である。下前押え部３から支持棒を耳珠３５まで延設し、耳珠３５の中にある耳つぼの起点を刺激することで耳つぼ効果がある。耳周辺にある他の耳つぼを押えることも可能である。
【００６６】
図１０（ｆ)は眼鏡のモダン４の下端に沿って溝又は係止具を設け、この溝にマスクの紐が入り込むマスク係止具３７を取り付けたことを示す一実施形態の側面図である。マスクの紐をマスク係止具３７にかけることにより、長時間マスクをかけた時、耳の痛さが緩和される。図１０（ｇ)は第１発明の下前押え部３又はモダン４に設けた突起部６内に骨伝導スピーカー３８を設けたことを示す一実施形態の側面図である。髪の間に分け入って地肌に接する複数の突起部６の先端に骨伝導スピーカー３８を設けることにより、外観から見えず、耳に接しない補聴器として適している。
【符号の説明】
【００６７】
１    もみあげ
２    テンプル
３    下前押え部
４    モダン
６    突起部
７    棒状
８    櫛状
９    熊手状
１０  輪状
１１  可塑性を有する部材
１２  連結部
１３  側頭挟持部
１４  凹部
１５  頬骨弓部  
１６  関節
１７  顎
１８  ネジ
１９  円錐体
２０  ラバー材
２１  シャフト
２２  プレート
２３  紐
３０  ウエアラブル機器
３１  ディスプレイ
３２  ヒアラブル端末
３３  イヤホン
３４  耳つぼ押え具
３５  耳珠
３６  花粉予防メガネ
３７  マスク係止具
３８  骨伝導補聴器
３９  骨伝導スピーカー
【図１】
2019211614.tif 000002
【図２】
2019211614.tif 000003
【図３】
2019211614.tif 000004
【図４】
2019211614.tif 000005
【図５】
2019211614.tif 000006
【図６】
2019211614.tif 000007
【図７】
2019211614.tif 000008
【図８】
2019211614.tif 000009
【図９】
2019211614.tif 000010
【図１０】
2019211614.tif 000011
【手続補正書】
【提出日】平成30年7月17日(2018.7.17)
【手続補正１】
【補正対象書類名】明細書
【補正対象項目名】０００７
【補正方法】変更
【補正の内容】
【０００７】
第１発明の眼鏡は、眼鏡のフレームから下方に設けられた、もみあげを押える下前押え部に、髪の間に分け入って地肌に接する複数の突起部を備え、前記突起部の表面には、該突起部間に分け入った髪を保持するラバー材が設けられている眼鏡。
【手続補正２】
【補正対象書類名】明細書
【補正対象項目名】００１１
【補正方法】変更
【補正の内容】
【００１１】
「第５発明の眼鏡は、第１又は２発明において、」
【手続補正３】
【補正対象書類名】明細書
【補正対象項目名】００１２
【補正方法】変更
【補正の内容】
【００１２】
「第６発明の眼鏡は、第３発明において、」
【手続補正４】
【補正対象書類名】明細書
【補正対象項目名】００１４
【補正方法】変更
【補正の内容】
【００１４】
「第８発明の眼鏡は、第３発明において、」の第２発明を削除した根拠と、「前記連結部には、さらに、左右の前記連結部を架橋して、」
【手続補正５】
【補正対象書類名】明細書
【補正対象項目名】００１５
【補正方法】変更
【補正の内容】
【００１５】
「第９発明の眼鏡は、第１又は２又は４又は５又は７発明の何れかにおいて、前記突起部及び前記下前押え部の材質がエラストマーからなる」
【手続補正６】
【補正対象書類名】明細書
【補正対象項目名】００１７
【補正方法】変更
【補正の内容】
【００１７】
第１発明の眼鏡によれば、眼鏡のフレームから下方に設けられた、もみあげを押える下前押え部に、髪の間に分け入って地肌に接する複数の突起部を備え、前記突起部の表面には、該突起部間に分け入った髪を保持するラバー材が設けられているので、テンプルとモダンと下前押え部が一体化したシンプルな構造であり、製造は極めて容易である。
【手続補正７】
【補正対象書類名】明細書
【補正対象項目名】００２９
【補正方法】変更
【補正の内容】
【００２９】
これらの図において、第１発明の眼鏡は、眼鏡のフレームから下方に設けられた、もみあげ１を押える下前押え部３に、髪の間に分け入って地肌に接する複数の突起部６を備え、前記突起部６の表面には、該突起部６間に分け入った髪を保持するラバー材２０が設けられていることを特徴としている。
【手続補正８】
【補正対象書類名】明細書
【補正対象項目名】００４９
【補正方法】変更
【補正の内容】
【００４９】
第６発明の眼鏡は、前記モダン４は、前記フレームに対して、上下方向に角度変更可能に結合されていることを特徴としている。
【手続補正９】
【補正対象書類名】明細書
【補正対象項目名】００５５
【補正方法】変更
【補正の内容】
【００５５】
第８発明の眼鏡は、前記連結部１２には、さらに、左右の前記連結部１２を架橋して、頭から顎１７の間を跨いで連結されて、前記眼鏡の回転モーメントを相殺する側頭挟持部１３が着脱自在に設けられていることを特徴としている。
【手続補正１０】
【補正対象書類名】明細書
【補正対象項目名】００６０
【補正方法】変更
【補正の内容】
【００６０】
第９発明の眼鏡は、前記突起部６及び前記下前押え部３の材質がエラストマーからなることを特徴としている。
【手続補正１１】
【補正対象書類名】特許請求の範囲
【補正対象項目名】全文
【補正方法】変更
【補正の内容】
【特許請求の範囲】
【請求項１】
眼鏡のフレームから下方に設けられた、もみあげを押える下前押え部に、髪の間に分け入って地肌に接する複数の突起部を備え、前記突起部６の表面には、該突起部６間に分け入った髪を保持するラバー材２０が設けられている眼鏡。
【請求項２】
前記下前押え部が、眼鏡のフレームに対し、連結部を介して、着脱自在である請求項１に記載の眼鏡。
【請求項３】
眼鏡の少なくとも一本のモダンに、髪の間に分け入って地肌に接する複数の突起部６を設けた請求項１又は２に記載の眼鏡。
【請求項４】
前記下前押え部が、もみあげに沿って棒状に又は、櫛状に又は、熊手状に広がる部材、又は、もみあげを輪状に押える部材である請求項１又は２に記載の眼鏡。
【請求項５】
前記下前押え部は、前記フレームに対して姿勢変更に又は、もみあげの凹部に嵌るように変形する可塑性を有する部材で形成されている請求項１又は２に記載の眼鏡。
【請求項６】
前記モダンは、前記フレームに対して、上下方向に角度変更可能に結合されている請求項３に記載の眼鏡。
【請求項７】
前記下前押え部は、前記フレームに対して、水平方向に回転可能に又は、変更可能に形成されている請求項１又は２又は５に記載の眼鏡。
【請求項８】
前記連結部には、さらに、左右の前記連結部を架橋して、頭から顎の間を跨いで連結されて、前記眼鏡の回転モーメントを相殺する側頭挟持部が着脱自在に設けられている請求項２に記載の眼鏡。
【請求項９】
前記突起部及び前記下前押え部の材質がエラストマーからなる請求項１又は２又は４又は５又は７の何れかに記載の眼鏡。
【請求項１０】
前記眼鏡に、ウエアラブル機器、ヒアラブル端末、花粉予防メガネ、耳つぼ押え具、マスク係止具、骨伝導補聴器の何れかが取り付けられている請求項１から９の何れかに記載の眼鏡。